(57)【要約】【課題】  雨や雪などに対しても十分な滑り止め効果があり、かつ、滑り止め部材に作業者が手やひざ等をついても怪我をすることがなく、安全に作業をすることができる建設機械の滑り止め構造を提供する。【解決手段】  作業者の足場となるステップを構成する基板２と、該基板２の上面に取り付けられた滑り止め部材６とを備えた建設機械の滑り止め構造において、基板２に段差５を形成するとともに、滑り止め部材６を基板２に設けた段差を埋め、かつ表面に多数の凸部６ｂを設けたゴムプレートから構成した。基板２は、下板３と上板４とから構成し、下板３の他端と上板４の一端を重ね合わせて接合することによって段差５を形成している。【選択図】  図２
2005232799.tif 000002
【特許請求の範囲】
【請求項１】
足場となるステップと、該ステップの上面に取り付けられた滑り止め部材とを備えた建設機械の滑り止め構造において、前記ステップに段差を形成するとともに、前記滑り止め部材を前記ステップに設けた段差を埋め、かつ表面に多数の凸部を設けたゴムプレートから構成したことを特徴とする建設機械の滑り止め構造。
【発明の詳細な説明】
【技術分野】
【０００１】
本発明は、例えば油圧ショベル等の建設機械の機体に設けられるステップ等の滑り止め構造に関する。
【背景技術】
【０００２】
油圧ショベル等の建設機械では、通常、作業者が機体に乗降あるいはエンジンやポンプ等を点検整備できるように機体にステップが設けられている。しかしながら、一般に、ステップの足場となる基板は、鋼板や鉄板から形成されており、作業者がステップに乗降あるいはその上を歩行するとき、あるいはステップに乗って前記点検・整備するときなどに、滑りやすいという問題があった。そこで、通常、作業者の足場となるステップの基板には、ノンスリップテープ等の滑り止めを貼付した滑り止め構造や、図３に示すように鋼板や鉄板に鋭利な突起を設けた滑り止め構造が採用されている。
【０００３】
図３に基づいて従来の建設機械の滑り止め構造を説明すると、符号１はステップを支持するステップ支持部材であり、ステップ支持部材１には、ステップの足場を形成する基板２１が適宜の手段によって支持されている。基板２１は適宜厚さの鋼板を矩形に成形して塗装を施したものであり、基板２１の作業者が乗る部分には、バーリング加工等によって形成された複数のバーリング孔２２が穿設されている。バーリング孔２２の周縁には、全て同一面側に向けて同一高さで突出する周縁フランジ（突起）２２ａが形成されている。図３に示す滑り止め構造によれば、作業者が基板２１上に乗ると、周縁フランジ２２ａの先端が作業靴の靴底に食い込むとともに、バーリング孔２２内に靴底のブロックパターンが入り込み、靴底と周縁フランジ２２ａとが噛み合うように係合し、この係合によって、作業者の作業靴が基板２１上でずれることがなくなり、機体上面において作業者が安全に作業を行うことできるようになっている。図３に示すバーリング加工を採用した建設機械の滑り止め構造に関連する先行技術文献としては、後掲する特許文献１、２がある。
【０００４】
【特許文献１】特開平９−３０２７２３号公報
【特許文献２】特開２００１−２６２６１９号公報
【発明の開示】
【発明が解決しようとする課題】
【０００５】
前述したノンスリップテープを貼付した滑り止め部材は、雨や雪のなどに対しては滑り止めの効果を十分に発揮できず、また、耐候性に乏しく劣化し易く、耐久性や信頼性に乏しいという問題があった。
【０００６】
また、図３に示す鋼板にバーリング加工による突起を設けた滑り止め構造は、前記突起に作業者の靴底が噛み合い係合するため、雨や雪などの場合にも、十分な滑り止め効果を発揮することができる。しかしながら、図３に示す滑り止め構造は、ステップの基板を形成する鋼板や鉄板等に鋭利な突起を設けた構造であるため、作業者がステップの基板に手やひざ等をついたとき、前記突起によって怪我をするおそれがあり、作業者の安全が十分に確保できないという問題があった。
【０００７】
本発明の課題は、雨や雪などに対しても十分な滑り止め効果があり、かつ、ステップの基板に作業者が手やひざ等をついても怪我をすることがなく、安全に作業をすることができる建設機械の滑り止め構造を提供することにある。
【課題を解決するための手段】
【０００８】
本発明は、前記課題を達成するために、足場となるステップと、該ステップの上面に取り付けられた滑り止め部材とを備えた建設機械の滑り止め構造において、前記ステップに段差を形成するとともに、前記滑り止め部材を前記ステップに設けた段差を埋め、かつ表面に多数の凸部を設けたゴムプレートから構成したものである。
【発明の効果】
【０００９】
本発明によれば、足場となる基板の上に設置される滑り止め部材を、表面に多数の凸部を設けたゴムプレートから構成したので、該凸部によって雨や雪が降っている作業環境下であっても、該凸部によって十分な滑り止め効果を発揮することができるとともに、滑り止め部材は、すべてゴム材料から形成されており、鋭利な金属製の突起等が存在しないので、作業者がステップや機械本体の足場部分に手やひざ等をついたりしても怪我をするおそれがなく作業の安全性を十分に確保することができる。
【００１０】
さらに、滑り止め部材６は、ステップに形成された段差を埋めるようにステップの表面に取り付けられているので、滑り止め部材６とステップ上面との間の段差を小さくすることができ、作業者がステップ上で作業あるいは歩行する際、段差による違和感を軽減することができ、作業環境を向上することができる。
【発明を実施するための最良の形態】
【００１１】
以下、本発明の建設機械の滑り止め構造の実施の形態を、図１、２に基づいて説明する。図1は滑り止め部材を取り付ける前のステップ構造を示す横断面図であり、図２は、図１に示すステップ構造に滑り止め部材を取り付けた状態を示す。
【００１２】
図１、２において、建設機械の滑り止め構造は、建設機械の機体に取り付けられたステップ支持部材１からほぼ水平に延在し、作業者の足場となるステップを構成する基板２と、基板２に形成された段差５と、この段差５を埋めるように取り付けられた滑り止め部材６を有している。
【００１３】
ステップ支持部材１は、ステップを構成する基板２を支持できるものであればどのようなものであってもよい。例えば、油圧ショベル等の建設機械のカウンタウエイト等の機体自体や、建設機械に取り付けた枠体あるいは支柱等がある。
【００１４】
基板２は、鋼板あるいは鉄板から形成された略矩形の下板３と、下板３に接合され下板３からほぼ水平方向に延在する鋼板あるいは鉄板から形成された略矩形の上板４とから構成されている。上板４は、上板４の一端側を下板３の他端側３ｂ（図１において右端側）の上面に重ね幅Ｌ３をもって重ね合わせ接合することによって下板３に接合されており、この重ね合わせ接合によって、基板２のステップ支持部材１側には、下板３の上面に上板４の厚さＨ１に相当する高さの段差５が形成される。なお、下板３の幅Ｌ１は、後述する滑り止め部材６によって埋められる段差５の幅Ｌ４と前記重ね幅Ｌ３とから規定され、上板４の幅Ｌ２は、必要とするステップの全体幅から適宜決定される。なお、以下、図１および２において左右方向をステップの幅方向といい、紙面に直交する方向をステップの長手方向という。
【００１５】
下板３の一端側３ａ（図１において左端側）は、基板２がステップ支持部材１に対してほぼ水平方向に延在するように、適宜の手段によってステップ支持部材１に取り付けられている。ステップ支持部材１の上下方向に対する下板３の取付位置は、図１のようなステップ支持部材１の場合、後述する滑り止め部材６の取り付けを考慮して、ステップ支持部材１の上端から上板４の厚さＨ１以上下方の位置とすることが好ましい。
【００１６】
下板３と上板４を重ね合わせ接合することによって上板３の上面に形成された段差５には、この段差５を埋めるように略矩形の滑り止め部材６が取り付けられる。滑り止め部材６は、ゴムシートからなるゴムプレート本体６ａと、ゴムプレート本体６ａの少なくとも幅方向の両端に設けた縁部６ａ１と、該縁部６ａ１の内側においてプレート本体６ａの表面に形成した多数の凸部６ｂとから構成されている。
【００１７】
ゴムプレート本体６ａの周囲に形成した縁部６ａ１は、凸部６ｂと略等しい高さとされ、縁部６ａ１の上面は、ゴムプレート本体６ａの周囲上面から内方に向けて傾斜して立ち上がる形状とされている。多数の凸部６ｂは、段差５を滑り止め部材で埋めたとき、上板４の上面より上方に突出するようにされている。
【００１８】
滑り止め部材６を構成するゴムプレート本体６ａは、種々のゴム材料から形成することができるが、耐酸性、耐アルカリ性、工作性に優れた硬質ゴムから形成するのが好ましい。また、ゴムプレート本体６ａの板厚は、適宜の厚さとすることができるが、通常、基板２を構成する下板３および上板４の板厚は、１．６mm〜２mm程度であるので、それより若干厚い程度とするのが好ましい。また、ゴムプレート本体６ａの周囲に形成した縁部６ａ１は、ゴムプレート本体６ａと同一材料によってシート本体６ａと一体に形成されている。
【００１９】
滑り止め部材６を構成する多数の凸部６ｂは、ゴムプレート本体６ａの表面から略垂直方向に立ち上がる柱状、例えば円柱状や多角柱状等に形成され、ゴムプレート本体６ａと同一材料によってゴムプレート本体６ａと一体に形成されている。該凸部６ｂの高さや径等の大きさ及び隣り合う凸部６ｂ間の間隔は、十分な滑り止め効果を有するように適宜決定されるが、凸部６ｂの高さは、３mm〜４mm程度とするのが好ましい。
【００２０】
このように構成された滑り止め部材６は、段差５を埋めるように接着剤（図示せず）等によって下板３の上面に取り付けられる。また、接着剤に換えて、ボルトナットやネジ等の適宜の締結手段（図示せず）によって下板３の上面に取り付けるようにしてもよい。
【００２１】
この実施の形態の建設機械の滑り止め構造によれば、滑り止め部材６を周囲に縁部６ａ１を形成したゴムシートからなるゴムプレート本体６ａと、ゴムプレート本体６ａと一体に形成した多数の凸部６ｂとから構成したので、雨や雪が降っている作業環境下であっても、十分な滑り止め効果を奏することができる。また、滑り止め部材２，３は、すべてゴム材料から形成されており、鋭利な金属製の突起が存在しないので、作業者がステップの足場部分に手やひざ等をついたりしても怪我をするおそれがなく作業の安全性が確保でき、また、クッション性にも優れているので、作業者は足場上で快適に作業をすることができる。
【００２２】
また、ゴムシートの材料として、耐酸性、耐アルカリ性、工作性に優れた硬質ゴムを採用することによって、過酷な作業環境下に適した耐久性及び信頼性に優れた滑り止め部材を得ることができる。また、ゴム材料は、鋼板や鉄板に比べ安価であり、しかも工作性に優れているので、滑り止め構造の製造コストを低減することができる。
【００２３】
さらに、滑り止め部材６は、ステップ上で建設機械の作業者が作業あるいは歩行する際に、滑ることのないような必要十分な幅とし、基板２を構成する下板３と上板４とを重ね合わせて接合したときに基板２の端部に形成される段差５を埋めるように取り付けたので、上板４の上面より突出する滑り止め部材６の部分はほぼ縁部６ａ１と凸部６ｂとなり、滑り止め部材６と上板４との間の段差を小さくすることができ、作業者がステップ上で作業あるいは歩行する際、段差による違和感を軽減することができる。また、滑り止め部材６を構成するゴムプレート本体６ａの周囲に傾斜して立ち上がる縁部６ａ１を形成することによって、前記違和感をさらに軽減することができる。
【００２４】
以上、本発明の実施の形態について説明したが、本発明は、前述した実施の形態に限定されず種々の設計変更が可能であり、それらはいずれも本発明に含まれる。
【００２５】
例えば、ステップを構成する基板は、基板の両側にステップ支持部材を設け、このステップ支持部材によって両端を支持する構成とすることができる。
【００２６】
また、ステップに形成される段差は、必ずしもステップの一端側に形成する必要はなく、ステップの中央等適宜の位置に形成することができる。ステップに形成される段差は、一枚の基板を折り曲げ加工することによって形成してもよいし、複数枚の板を適宜重ね合わせ接合することによって形成することもできる。要は、滑り止め部材によって埋められる段差がステップに形成されていればよい。なお、ステップおよび滑り止め部材の図１、図２における平面視の形状は、略矩形に限らず適宜の形状とすることができる。
【００２７】
ゴムプレート本体の周囲に形成される縁部は、ゴムプレート本体の幅方向の両端に加え、長手方向の一端側あるいは両端側にも設けてもよい。ステップの洗浄を考慮すれば、幅方向の両端に設けるか、あるいは、幅方向の両端と長手方向の一端にそれぞれ設けるのが好ましい。なお、縁部を設けない構造としてもよい。
【００２８】
滑り止め部材に設けられる凸部は、円柱状や多角柱状等の柱状や半球状に限らず、円錐台状、多角錐台状、砲弾状等任意の形状とすることができる。
【図面の簡単な説明】
【００２９】
【図１】本発明の滑り止め部材を取り付ける前の建設機械のステップ構造を示す本発明の一実施の形態の横断面図。
【図２】本発明の滑り止め部材を取り付けた状態の建設機械のステップ構造を示す本発明の一実施の形態の横断面図。
【図３】従来の建設機械の滑り止め構造を示す横断面図。
【符号の説明】
【００３０】
１              ステップ支持部材
２              基板
３              基板を構成する下板
４              基板を構成する上板
５              段差
６              滑り止め部材
６ａ            滑り止め部材を構成するゴムプレート本体
６ｂ            滑り止め部材を構成する凸部
【図１】
2005232799.tif 000003
【図２】
2005232799.tif 000004
【図３】
2005232799.tif 000005